(57)【特許請求の範囲】
【請求項１】
内部に釣糸を挿通可能な釣糸通路を有する複数の竿体を振出形式に連結してなる中通し竿であって、
先細りテーパの施された管状体であり、穂先側端部内周に他の部分より小径化した嵌合雌部を有する大径竿体と、
前記大径竿体の穂先側に前記大径竿体内に収納可能に連結された先細りテーパの施された管状体であり、竿元側端部より一定の範囲において他の部分より大径化した嵌合雄部を有する小径竿体とを備え、
前記小径竿体は、強化繊維に合成樹脂を含浸させたプリプレグ素材からなり、最内面に位置し周方向に強化繊維が配向された第１層と、前記第１層の外側に積層され軸方向に強化繊維が配向された第２層と、前記第２層の外側に積層され周方向に強化繊維が配向された第３層と、前記第３層の竿元側端部外周に積層され軸方向に強化繊維が配向された第４層とを有し、
前記第２層は前記第４層が積層される竿元側端部より一定の範囲においてその厚さが竿元側ほど肉薄化しており、
前記第４層は竿元側ほど肉厚化して竿元側端部より一定の範囲が他の部分より大径化する前記嵌合雄部を形成しており、
前記嵌合雄部を形成する第４層には、切溝が、竿元側端部から嵌合雌部との嵌着範囲を超えて穂先側に至るように軸方向に伸び、且つ、その深さは第３層に至らないように周方向に間隔を隔てて複数箇所に形成されている、釣竿。
【発明の詳細な説明】
【０００１】
【発明の属する技術分野】
本発明は、魚釣りに用いる釣竿、特に、竿体内部に釣糸を挿通する釣糸通路を有する中通し竿に関する。
【０００２】
【従来の技術】
従来の釣竿の中で、中通し竿と呼ばれるタイプの釣竿は、リールからの釣糸を挿通可能な釣糸通路を竿体内部に有するタイプの釣竿である。この種の釣竿は、リールを装着する為のリールシートの穂先側に釣糸を竿体内に導入するための導入口を有する。そして、リールからの釣糸をこの導入口から竿体内に挿入し、順次穂先側へと導き、先端側端部より外部に導出する。
【０００３】
一方、複数の竿体を連結してなる釣竿の連結方法として、振出形式と呼ばれる釣竿がある。この振出形式の連結方法とは、大径竿体とその穂先側に大径竿体内に収納可能に連結された小径竿体とにおいて、大径竿体は、穂先側端部内周を嵌合雌部を有し、小径竿体は竿元側端部外周を嵌合雄部を有する構造となっている。そして、釣りを行う際には各竿体を順次穂先側に引き出して嵌合雄部と嵌合雌部とを相互に嵌合固定して一本の竿体として用いる。一方、収納時には穂先側の竿体を順次竿元側の竿体内に収納してコンパクトな状態とする。
【０００４】
【発明が解決しようとする課題】
このような中通し竿において、大きな問題となる点として、水が溜まってしまいがちであるという点がある。釣糸が竿体内部を挿通する中通し竿にあっては、水中に投じられる釣糸と共に釣糸に付着して水が竿体内部に取り込まれ、竿体内に水が溜まってしまうのである。
【０００５】
そこで、近時では、竿体の内周面に撥水塗料を塗布する等の加工を施し、釣竿を勢いよく振る等の作業によって内部に溜まった水を順次穂先側に向けて排水し得るような工夫も施されている。
しかし、中通し竿の中でも、特に、複数の竿体を振出形式に連結してなる場合、各竿体の連結部分において、穂先側に位置する竿体の内径と竿元側に位置する内径との径差が障壁となって排水を妨げる現象が報告されている。このため、このような竿体同士の連結部分の径差を考慮した上で、竿体内部に溜まった水を円滑に排水可能とするような釣竿の開発が求められている。
【０００６】
この点、この竿体同士の連結部分に排水孔等を形成することも考えられるが、振出形式に複数の竿体を連結する釣竿にあっては、これら竿体同士の連結部分は手元側の竿体で穂先側に位置する竿体を支持する部分であり、十分な強度の担保が必要とされる。このため、不用意に孔等を形成することはできない。
本発明の課題は、竿体の強度を損なうことなく、内部に溜まった水を容易に排水可能な中通し竿を提供することにある。
【０００７】
【課題を解決するための手段】
発明１の釣竿は、内部に釣糸を挿通可能な釣糸通路を有する複数の竿体を振出形式に連結してなる中通し竿であって、先細りテーパの施された管状体であり、穂先側端部内周に他の部分より小径化した嵌合雌部を有する大径竿体と、大径竿体の穂先側に大径竿体内に収納可能に連結された先細りテーパの施された管状体であり、竿元側端部より一定の範囲において他の部分より大径化した嵌合雄部を有する小径竿体とを備えている。
【０００８】
この小径竿体は、強化繊維に合成樹脂を含浸させたプリプレグ素材からなり、最内面に位置し周方向に強化繊維が配向された第１層と、第１層の外側に積層され軸方向に強化繊維が配向された第２層と、第２層の外側に積層され周方向に強化繊維が配向された第３層と、第３層の竿元側端部外周に積層され軸方向に強化繊維が配向された第４層とを有している。
【０００９】
ここで、この第２層は第４層が積層される竿元側端部より一定の範囲においてその厚さが竿元側ほど肉薄化している。一方、第４層は竿元側ほど肉厚化して竿元側端部より一定の範囲が他の部分より大径化する嵌合雄部を形成している。そして、嵌合雄部を形成する第４層には、複数の切溝が、竿元側端部から嵌合雌部との嵌着範囲を超えて穂先側に至るように軸方向に伸び、且つ、その深さは第３層に至らないように周方向に間隔を隔てて形成されている。
【００１０】
この釣竿では、収納時には小径竿体を大径竿体内に挿入し収納してコンパクトな状態とする。そして、延伸時には小径竿体を大径竿体内から引き出して、小径竿体の嵌合雄部を大径竿体の嵌合雌部に嵌合させて固定し連結する。そして、一本の釣竿として魚釣りに用いることになる。この嵌合雄部と嵌合雌部との嵌着時においては、嵌合雄部に形成された切溝が排水溝を提供している。この中通し竿をキャスティング等の際に振ると、大径竿体内に溜まった水がその勢いで穂先側に移動する。そして、大径竿体の穂先側部分に水が至ると、この水は小径竿体の嵌合雄部の切溝を通って、小径竿体の外部に排水されることになる。
【００１１】
この小径竿体の竿元側端部の外周面に形成される嵌合雄部は、軸方向に強化繊維が配向される第４層からなり、軸方向に切溝が形成されてもこの切溝の形成によって強化繊維が破断されることがなく、その強度の低下が生じにくい。
また、この小径竿体の嵌合雄部付近では、以下のように、切溝による第３層の破損が生じておらず、竿体の潰れ強度が十分に担保されている。
【００１２】
小径竿体の嵌合雄部付近では、第２層が竿元側ほど小径化し、これに代わって第４層が第３層の外周側において竿元側ほど大径化する態様で、各種プリプレグ層が形成されており、切溝を嵌合雄部に形成しても、この切溝が第３層に至りにくい。つまり、先細りテーパの施された竿体において各種層を一定の肉厚のままで積層しておけば、竿元側端部において切溝を軸方向に形成すると、切溝加工は竿体の軸方向に平行に行われがちなため、竿元側において切り溝の深さが深くなり、切溝が第３層に至りやすい。そして、第３層は周方向に強化繊維が配向された竿体の潰れ強度を保つ為の重要な層であり、この部分の破損は竿体の強度を著しく低下させる。
【００１３】
これに対し、この小径竿体は、第２層を竿元側ほど薄肉化・第４層を竿元側ほど厚肉化することで、相対的に第３層が竿体周面から深い位置に配置されることになり、切溝を形成しても第３層が破損されにくくなるのである。
穂先側に位置する小径竿体はこの嵌合雄部において竿元側に位置する大径竿体に支持されるのであり、かかる部分の潰れ強度は十分に維持するべきである。この釣竿では、かかる部分の潰れ強度が第１層及び破損されることない第３層によって十分に維持される。
【００１４】
【発明の実施の形態】
以下、本発明の一実施形態について、図面を参照しつつ説明する。
図１及び図２に示すように、本発明の第１実施形態を採用した中通し竿は、元竿１と、元竿１の穂先側に振出形式で連結された元上竿２と、元上竿２の穂先側に振出形式で連結された中竿３及び穂先竿（図示せず）を有している。
【００１５】
各竿体はそれぞれ、先細りのテーパの施された管状体であり、内部に竿体収納部１００を有している。後に詳しく説明するが、これらの各竿体は炭素繊維等の強化繊維に合成樹脂を含浸させたプリプレグを焼成してなる部材である。各竿体にはそれぞれ振出形式で順次連結するために必要な嵌合雄部や嵌合雌部が形成されることになる。
【００１６】
元竿１の竿元側端部の内周面はねじ山が形成されて雌ねじ部となっており、この雌ねじ部に尻栓１０が脱着自在に装着されている。また、元竿１の周面には、リール（図示せず）を脱着自在に装着可能なリールシート４が設けられている。さらに、この元竿１の穂先側周面にはリールからの釣糸を竿体内部に導入するための釣糸導入口５が形成されており、この釣糸導入口５の上には釣糸導入ガイド６が配置されている。また、穂先竿４の穂先側端部には、トップガイド７が連結されている。そして、リール５からの釣糸は釣糸導入ガイド７に案内されて釣糸導入口６より竿体内部に挿入され、その後、各竿体の内部を挿通して穂先側の竿体に順次導かれ、トップガイド８から穂先側に導出される。
【００１７】
次に、各竿体の連結部分の構造について、元上竿２と中竿３とを例にして説明する。
図２〜４に詳しく示すように、元上竿２は穂先側端部の内周面に他の部分より部分的に小径化・厚肉化された嵌合雌部２ａを有している。この部分は補助プリプレグを別途積層して部分的に厚肉化した部分である。
【００１８】
中竿３は竿元側端部の外周面に他の部分より部分的に大径化・厚肉化された嵌合雄部３ａを有している。この嵌合雄部３ａが上述の嵌合雌部２ａに嵌着する部分である。
この中竿３は、図３に示すように、炭素繊維やガラス繊維等の強化繊維にエポキシ樹脂等の熱硬化性樹脂を含浸させたプリプレグ素材からなる。具体的には、最内面に位置し周方向に強化繊維が配向されたプリプレグ素材からなる第１層１１と、第１層１１の外側に積層され軸方向に強化繊維が配向されたプリプレグ素材からなる第２層１２と、第２層１２の外側に積層され周方向に強化繊維が配向されたプリプレグ素材からなる第３層１３と、第３層１３の竿元側端部外周に積層され軸方向に強化繊維が配向されたプリプレグ素材からなる第４層と１４を有している。図３においては各層を個別に示しているが、これらの各プリプレグ層は焼成され一体化している。各プリプレグ層の具体的な積層方法については、後述する中竿３の製造方法において明らかになる。
【００１９】
また、この第２層１２は第４層１４が積層される竿元側端部より一定の範囲においてその厚さが竿元側ほど肉薄化している。一方、第４層１４は竿元側ほど肉厚化している。そして、この第４層１４によって、竿元側端部より一定の範囲が他の部分より大径化する嵌合雄部３ａが形成されることになる。この結果、図３に示すように、全体として中竿３は竿元側ほど大径化するテーパが施されつつ、第２層１２が肉薄化・第４層が厚肉化しており、竿元側に至るに従って第３層が相対的に中竿３の周面（詳しくは嵌合雄部３ａの周面）より深い位置に積層されるようになる。
【００２０】
さらに、この嵌合雄部３ａ（第４層１４の積層された部分）には、切溝１５が、竿元側端部から嵌合雌部との嵌着範囲を超えて穂先側に至るように軸方向に伸びて形成されている（図２参照）。この切溝１５はその最深部分が凡そ中竿３の軸方向に平行になるように中竿３の周面を削って形成されており、中竿３のテーパとの関係から竿元側ほど徐々にその深さが深くなる。もっとも、この切溝１５は第４層１４の範囲でのみ形成されており、第３層１３に至っていない。また、切溝１５自体は、周方向に間隔を隔てて複数箇所に形成されている。
【００２１】
さらにまた、中竿３の第１層１１の内周面（最内面）には、釣糸支持突起２０を形成しておいてもよい。この釣糸支持突起２０は中竿３の内部を挿通する釣糸と竿体内周面との接触面積を低減させるためのものであり、後述のように紐状プリプレグを螺旋状に配置することによって形成可能である。
なお、このような嵌合雄部と嵌合雌部の構造は、他の竿体間においてもその連結部分において同様に形成される。この場合、切溝１５の数は、穂先側の竿体ほど少なく、例えば、穂先竿４の嵌合雄部に形成する切溝は４カ所程度に、元上竿２において形成する場合は８カ所程度設ける等の相違を設けてもよい。
【００２２】
次に、中竿３の製造方法を説明する。
まず、図５（ａ）に示すように、所定の先細りテーパの施されたマンドレル（芯材）１００を準備し、必要に応じてその周面に離型剤を塗布しておく。その上で、このマンドレルに螺旋状に突起形成用プリプレグ３１と剥離テープ３２とを螺旋状に巻回する。突起形成用プリプレグ３１は炭素繊維等の強化繊維を撚り込んだ上にエポキシ樹脂等を含浸させた紐状の素材である。これをマンドレル１００に螺旋状に巻回する。そしてその突起形成用プリプレグ３１の隙間には剥離用テープ３２が巻回される。後に述べるように、この剥離用テープ３２は剥離され、突起形成用プリプレグ３１のみが残存して釣糸支持突起２０を形成することになる。
【００２３】
次に、図５（ｂ）に示すように、上述の各素材の外周に螺旋状に隙間なく第１プリプレグテープ４１を巻回する。この第１プリプレグテープ４１はテープの長さ方向に炭素繊維などの強化繊維が配向された上で合成樹脂を含浸させた素材である。この第１プリプレグテープ４１が上述の第１層１１を形成することになる。そして、このように巻回した第１プリプレグテープ４１の外周にはメインプリプレグ４２が巻回される。
【００２４】
このメインプリプレグ４２はマンドレル１００の軸方向に炭素繊維などの強化繊維が配向された上で合成樹脂を含浸させた素材であってこれをシート状に加工したものである。メインプリプレグ４２はマンドレル１００のテーパに併せて巻回幅が竿元側ほど大きくなるような略台形型となりつつ、竿元側部分においては大きく部分的に裁断されて、巻回幅が小さくなるように加工されている。このように、メインプリプレグ４２の竿元側部分を大きく裁断することで（特に、竿元側ほど巻回幅が徐々に小さくなるようにすることで）、巻回時に竿元側端部が部分的に肉薄化する（特に、竿元側ほど徐々に肉薄化する）。このメインプリプレグ４２が第２層１２を形成する。
【００２５】
その後、図５（ｃ）に示すように、さらに、メインプリプレグ４２に外周に第２プリプレグテープ４３を螺旋状に隙間なく巻回する。この第２プリプレグテープ４３は上述の第１プリプレグテープ４１と同様のものであり、テープの長手方向に強化繊維が配向されている。この第２プリプレグテープ４３が上述の第３層１３を形成する。
【００２６】
さらに、図５（ｄ）に示すように、この第２プリプレグ４３を巻回した竿元側端部に（上述のメインプリプレグ４２を特に肉薄に巻回した範囲に）、補助プリプレグ４４を巻回する。この補助プリプレグ４４は、メインプリプレグ４２と同様に軸方向に炭素繊維などの強化繊維が配向された素材である。上述のメインぷりプレグ４２の肉薄化を補いつつ全体として竿元側ほど大径化するように、竿元側ほど徐々に肉厚化するように補助プリプレグ４４は巻回される。この補助プリプレグ４４が上述の第４層１４乃至嵌合雄部３ａを形成することになる。
【００２７】
これらの各素材を巻回した後、さらに、必要に応じてその外周に保護用テープを巻回した上で、これらを炉内において焼成し各素材を一体化させる。その後、マンドレル１００を引き抜き、内周面側から剥離用テープ３２を剥離し、外周面側から保護テープを剥離し、必要な長さに切断し、表面研磨等の加工・径の調整を施す。そして、嵌合雄部３ａに切溝を削って形成する。
【００２８】
なお、ここでは、中竿３を例に説明しているが、他の竿体も同様にして製造可能である。
このような各竿体を連結してなる中通し竿では、収納時には穂先竿４から順次手元側の各竿体に個々の竿体を挿入し収納してコンパクトな状態とする。一方、延伸時には穂先竿４から順次穂先側に引き出して、穂先側に位置する各竿体の竿元側端部の嵌合雄部を、その竿元側に位置する竿体の嵌合雌部に嵌合させて固定し連結する。そして、一本の釣竿として魚釣りに用いることになる。
【００２９】
このように各竿体を連結する場合、例えば、中竿３と元上竿２とにおいて説明すれば、図２に示すように、嵌合雄部３ａと嵌合雌部２ａとの嵌着時においては、嵌合雄部３ａに形成された切溝１５が排水溝を提供する。この中通し竿をキャスティング等の際に振ると、元上竿２に溜まった水がその勢いで穂先側に移動する。そして、元上竿２の穂先側部分に水が至ると、この水は元上竿２と中竿３との内径差によって穂先側への移動が阻害されることなく、嵌合雄部３ａの切溝１５を通って、中竿３の外部に排水されることになる。他の竿体同士の連結部分においても同様である。
【００３０】
ここで、中竿３の竿元側端部の外周面に形成される嵌合雄部３ａは、軸方向に強化繊維が配向される第４層１４からなり、軸方向に切溝１５が形成されてもこの切溝１５の形成によって強化繊維が破断されることがなく、その強度の低下が生じにくい。この軸方向の強化繊維は曲げ剛性に大きく寄与するものであり、切溝１５の形成によって竿体の曲げ剛性の低下を抑えられるのである。
【００３１】
また、この嵌合雄部３ａ付近では、以下のように、図３に示すように、第２層１２が竿元側ほど小径化し、これに代わって第４層１４が第３層１３の外周側において竿元側ほど大径化する態様で、各種プリプレグ層が形成されている。このため、切溝１５を嵌合雄部３ａ（即ち、第４層１４）に形成しても、この切溝１５が第３層１３に至らず、切溝１５を形成しても第３層１３が破損されにくくなるのである。第３層１３は周方向に強化繊維が配向されている層であり竿体の潰れ強度を担保する。そして、中竿３はこの嵌合雄部３ａにおいて元上竿２に支持されるのであり、かかる部分の潰れ強度は十分に維持するべきである。この釣竿では、かかる部分の潰れ強度が第１層１１及び破損されることない第３層１３によって十分に維持されているのである。
【００３２】
［他の実施形態］
（ａ）切溝内に親水性塗料を塗布してもよい。このような親水性塗料の塗布によって水の排水がさらにスムーズになる。
（ｂ）上記実施形態においては連結する竿体の本数を４本としているが、この設定は任意である。また、中通し竿にあって、手元側から２番目の竿体に釣糸導入口を形成するような場合、上述のような排水構造は、この釣糸導入口を形成した竿体より穂先側に配置される各竿体に採用すれば足りる。
【００３３】
【発明の効果】
本発明によれば、竿体の強度を低下させることなく、中通し竿の竿体の内部に溜まった水を容易に排水できる。
【図面の簡単な説明】
【図１】本発明の一実施形態を採用した中通し竿の全体図。
【図２】図１の中通し竿において元上竿２と中竿３との連結部分付近を示した図。
【図３】図１の中竿３の竿元側端部の拡大断面図。
【図４】図２の中竿３のIV-IV断面図。
【図５】図１の中竿３の製造工程を示した図。
【符号の説明】
２  元上竿
３  中竿
１１  第１層
１２  第２層
１３  第３層
１４  第４層
１５  切溝
３１  突起形成用プリプレグ
３２  剥離用テープ
４１  第１プリプレグテープ
４２  メインプリプレグ
４３  第２プリプレグテープ
４４  補助プリプレグ
【図１】
0003904146.tif 000002
【図２】
0003904146.tif 000003
【図３】
0003904146.tif 000004
【図４】
0003904146.tif 000005
【図５】
0003904146.tif 000006